(57)【要約】【課題】  一部のＭＡＣ機能部等に障害が生じた場合でも負荷分散構成及び現用予備構成を切り替えて実現することが可能な伝送路終端装置を提供する。【解決手段】  ２本の回線が１本ずつ接続された第１及び第２のＰＨＹ機能部６，７と、それぞれ独立した第１及び第２のＨＷＹカード１，１１と、ＰＨＹ機能部６，７とＨＷＹカード１，１１との間の接続を切り替えるためのＳＷ機能部５を備える。ＨＷＹカード１，１１は第１及び第２のＭＡＣ機能部３，４，１３，１４を備える。ＳＷ機能部５は負荷分散構成と現用予備構成のＭＯＤＥ３０と、障害を示すＡＬＭ３１，３２とに基づいて第１と第２のＰＨＹ機能部６，７を一方のＨＷＹカード１（１１）の第１のＭＡＣ機能部３（１３）と他方のＨＷＹカード１１（１）の第２のＭＡＣ機能部４（１４）との間で切り替え可能とする。【選択図】  図１
2009232000.tif 000002
【特許請求の範囲】
【請求項１】
２本の回線が１本ずつ接続された第１及び第２のＰＨＹ機能部（物理層終端回路）と、それぞれ独立した第１及び第２のＨＷＹカード（伝送路終端回路）と、前記ＰＨＹ機能部とＨＷＹカードとの間に介在されて両者間の接続を切り替えるためのＳＷ機能部（スイッチ回路）とを備え、前記ＨＷＹカードはそれぞれ第１及び第２のＭＡＣ機能部を備えるとともに、第１のＭＡＣ機能部には自ＨＷＹカードのＭＡＣアドレスを設定し第２のＭＡＣ機能部には他ＨＷＹカードのＭＡＣアドレスを設定でき、前記ＳＷ機能部は少なくとも第１のＰＨＹ機能部を一方のＨＷＹカードの第１のＭＡＣ機能部と他方のＨＷＹカードの第２のＭＡＣ機能部との間で切り替えるとともに、第２のＰＨＹ機能部を一方のＨＷＹカードの第２のＭＡＣ機能部と他方のＨＷＹカードの第１のＭＡＣ機能部との間で切り替え可能に構成したことを特徴とする伝送路終端装置。
【請求項２】
前記ＳＷ機能部には当該伝送路終端装置の負荷分散構成と現用予備構成のいずれかを示す運用形態信号と、前記各ＨＷＹカードでの障害を示す監視信号が入力され、前記ＳＷ機能部はこれらの信号に基づいて切り替え動作を行うことを特徴とする請求項１に記載の伝送路終端装置。
【請求項３】
前記ＳＷ機能部は、運用形態が負荷分散構成のときに前記第１及び第２のＨＷＹカードの一方に障害が生じたときには、障害が生じたＨＷＹカードの第１のＭＡＣ機能部に接続されているＰＨＹ機能部を正常なＨＷＹカードの第２のＭＡＣ機能部に切り替え接続することを特徴とする請求項２に記載の伝送路終端装置。
【請求項４】
前記ＳＷ機能部は、運用形態が現用予備構成のときに、一方のＰＨＹ機能部をマスクし、かつ前記第１及び第２のＨＷＹカードの一方に障害が生じたときには、マスクされないＰＨＹ機能部を正常な第１のＨＷＹカードの第１のＭＡＣ機能部に、又は正常な第２のＨＷＹカードの第２のＭＡＣ機能部に切り替え接続することを特徴とする請求項２に記載の伝送路終端装置。
【請求項５】
２本の回線が１本ずつ接続された第１及び第２のＰＨＹ機能部（物理層終端回路）と、それぞれ独立した第１及び第２のＨＷＹカード（伝送路終端回路）と、前記第１のＰＨＹ機能部と第１のＨＷＹカードとの間に介在されて両者間の接続を切り替えるための第１のＳＷ機能部（スイッチ回路）と、前記第２のＰＨＹ機能部と第２のＨＷＹカードとの間に介在されて両者間の接続を切り替えるための第２のＳＷ機能部（スイッチ回路）とを備え、前記ＨＷＹカードはそれぞれ第１及び第２のＭＡＣ機能部を備えるとともに、第１のＭＡＣ機能部には自ＨＷＹカードのＭＡＣアドレスを設定し第２のＭＡＣ機能部には他ＨＷＹカードのＭＡＣアドレスを設定でき、前記第１のＳＷ機能部は第１のＰＨＹ機能部を第１のＨＷＹカードの第１のＭＡＣ機能部と第２のＨＷＹカードの第２のＭＡＣ機能部との間で切り替え、第２のＳＷ機能部は第２のＰＨＹ機能部を第１のＨＷＹカードの第２のＭＡＣ機能部と第２のＨＷＹカードの第１のＭＡＣ機能部との間で切り替え可能に構成したことを特徴とする伝送路終端装置。
【請求項６】
前記第１及び第２のＨＷＹカードと前記第２のＳＷ機能部には、それぞれ当該伝送路終端装置の負荷分散構成と現用予備構成のいずれかを示す運用形態信号が入力され、前記第２のＨＷＹカードと第１のＳＷ機能部には前記第１のＨＷＹカードでの障害を示す監視信号が入力され、前記第１のＨＷＹカードと第２のＳＷ機能部には前記第２のＨＷＹカードでの障害を示す監視信号が入力され、前記第１及び第２のＳＷ機能部はこれらの信号に基づいて切り替え動作を行うことを特徴とする請求項５に記載の伝送路終端装置。
【請求項７】
前記第１及び第２のＳＷ機能部は、運用形態が負荷分散構成のときに前記第１及び第２のＨＷＹカードの一方に障害が生じたときには、障害が生じたＨＷＹカードの第１のＭＡＣ機能部に接続されているＰＨＹ機能部を正常なＨＷＹカードの第２のＭＡＣ機能部に切り替え接続することを特徴とする請求項６に記載の伝送路終端装置。
【請求項８】
前記第２のＳＷ機能部は運用形態が現用予備構成のときには第２のＰＨＹ機能部をマスクし、前記第１のＳＷ機能部は前記第１及び第２のＨＷＹカードの一方に障害が生じたときには、第１のＰＨＹ機能部を正常な第１のＨＷＹカードの第１のＭＡＣ機能部に、又は正常な第２のＨＷＹカードの第２のＭＡＣ機能部に切り替え接続することを特徴とする請求項６に記載の伝送路終端装置。
【発明の詳細な説明】
【技術分野】
【０００１】
本発明はＩＰ伝送路による伝送路終端装置の構成に関し、特に移動通信の無線基地局装置その他電子装置などに実装されて負荷分散構成と現用予備構成の切り替えが可能な伝送路終端装置に関するものである。
【背景技術】
【０００２】
移動通信システムにおいては、次世代（第４世代）へ向けてＩＰ網の導入が進んでおり、無線基地局装置でも上位装置との伝送路にＥＴＨＥＲＮＥＴ（登録商標）を採用している。ＥＴＨＥＲＮＥＴ通信をするうえで、相手からの送信を受け付けるためにはグローバルＭＡＣアドレスを設定しなければならず、無線基地局装置の伝送路終端装置には伝送路終端回路としてのＨＷＹカードのＭＡＣにユニークなアドレスを割り当てる必要がある。従来の伝送路終端回路では対をなすＨＷＹカードが設けられて負荷分散構成が可能とされているが、各ＨＷＹカードには予備のＭＡＣ機能部を有していなかったため、負荷分散構成で運用中、片方のＨＷＹカードに障害が発生すると、障害のあったＨＷＹカードで運用されていたサービスを引き継ぐ手段がなく、サービスを中断せざるをえなかった。また、ＨＷＹカードのもつＭＡＣアドレスが共通のものでなかったため、ＥＴＨＥＲＮＥＴ伝送路の現用予備構成を実現することができなかった。
【０００３】
このような問題に対し、特許文献１には、二重化構成としたゲートウェイ装置において、通常運用のメディアゲートウェイから冗長用のメディアゲートウェイに切り替えるに際し、切り替えと同時に通常運用のメディアゲートウェイに保持しているＭＡＣアドレスを冗長用のメディアゲートウェイに転送する技術が提案されている。この特許文献１の技術を従来の伝送路終端装置に適用すれば、冗長用のＭＡＣ機能部を備えて現用予備構成を実現することが考えられる。また、特許文献２には、二重化光ループ型ＬＡＮシステムにおいて、伝送制御手段の物理層（ＰＨＹ）とデータリンク層（ＭＡＣ）とを電気的に結ぶバス線の接続を、予めデータとして保持している接続モードに基づいて切り替えることにより、二重のケーブルの各々の接続を制御し、使用していない予備の回線を現用の回線とともに独立して対等に使用することができるようにした技術が提案されている。
【特許文献１】特開２００５−３３３２４３号公報
【特許文献２】特開平３−５７３４５号公報
【発明の開示】
【発明が解決しようとする課題】
【０００４】
特許文献１は現用予備構成を実現する上では有効であり、特許文献２は負荷分散構成と現用予備構成の両方を実現する上では有効である。しかし、特許文献１，２のいずれにおいても２つの回線に対してそれぞれ現用と予備となる２つのメディアゲートウェイやＭＡＣ機能部を設けたものであるため、一方のメディアゲートウェイやＭＡＣ機能部に障害が生じた場合には、正常なメディアゲートウェイやＭＡＣ機能部を現用として用いる現用予備構成は確保できるが、２つのメディアゲートウェイやＭＡＣ機能部を同時に使用することが要求される負荷分散構成は確保できないという問題がある。
【０００５】
本発明の目的は、一部のＭＡＣ機能部等に障害が生じた場合でも負荷分散構成及び現用予備構成を切り替えて実現することが可能な伝送路終端装置を提供するものである。
【課題を解決するための手段】
【０００６】
本発明の第１の発明は、２本の回線が１本ずつ接続された第１及び第２のＰＨＹ機能部（物理層終端回路）と、それぞれ独立した第１及び第２のＨＷＹカード（伝送路終端回路）と、前記ＰＨＹ機能部とＨＷＹカードとの間に介在されて両者間の接続を切り替えるためのＳＷ機能部（スイッチ回路）とを備え、前記ＨＷＹカードはそれぞれ第１及び第２のＭＡＣ機能部を備えるとともに、第１のＭＡＣ機能部には自ＨＷＹカードのＭＡＣアドレスを設定し第２のＭＡＣ機能部には他ＨＷＹカードのＭＡＣアドレスを設定でき、前記ＳＷ機能部は少なくとも第１のＰＨＹ機能部を一方のＨＷＹカードの第１のＭＡＣ機能部と他方のＨＷＹカードの第２のＭＡＣ機能部との間で切り替えるとともに、第２のＰＨＹ機能部を一方のＨＷＹカードの第２のＭＡＣ機能部と他方のＨＷＹカードの第１のＭＡＣ機能部との間で切り替え可能に構成したことを特徴とする。
【０００７】
本発明の第２の発明は、２本の回線が１本ずつ接続された第１及び第２のＰＨＹ機能部（物理層終端回路）と、それぞれ独立した第１及び第２のＨＷＹカード（伝送路終端回路）と、前記第１のＰＨＹ機能部と第１のＨＷＹカードとの間に介在されて両者間の接続を切り替えるための第１のＳＷ機能部（スイッチ回路）と、前記第２のＰＨＹ機能部と第２のＨＷＹカードとの間に介在されて両者間の接続を切り替えるための第２のＳＷ機能部（スイッチ回路）とを備え、前記ＨＷＹカードはそれぞれ第１及び第２のＭＡＣ機能部を備えるとともに、第１のＭＡＣ機能部には自ＨＷＹカードのＭＡＣアドレスを設定し第２のＭＡＣ機能部には他ＨＷＹカードのＭＡＣアドレスを設定でき、前記第１のＳＷ機能部は第１のＰＨＹ機能部を第１のＨＷＹカードの第１のＭＡＣ機能部と第２のＨＷＹカードの第２のＭＡＣ機能部との間で切り替え、第２のＳＷ機能部は第２のＰＨＹ機能部を第１のＨＷＹカードの第２のＭＡＣ機能部と第２のＨＷＹカードの第１のＭＡＣ機能部との間で切り替え可能に構成したことを特徴とする伝送路終端装置。
【発明の効果】
【０００８】
本発明の伝送路終端装置によれば、運用形態信号と監視信号に基づいてＳＷ機能部での切り替えを行うことにより、現用予備構成の冗長構成が実現できる一方で、伝送路終端装置が負荷分散構成で運用中に片側のＨＷＹカードに異常が発生しても、異常のあったＨＷＹカード側のサービス運用を正常なＨＷＹカードに引き継ぐことができ、中断されることはない。なお、一方のＨＷＹカードのＭＡＣ機能部がもつＭＡＣアドレスと、他方のＨＷＹカードのＭＡＣ機能部がもつＭＡＣアドレスは同一なので、無線基地局装置に接続される上位装置は物理的に接続先が変わったことを意識することがなく、ルーティングテーブル設定変更の必要はない。
【発明を実施するための最良の形態】
【０００９】
ここで、第１の発明においては次の形態とすることが好ましい。
（１．１）ＳＷ機能部には当該伝送路終端装置の負荷分散構成と現用予備構成のいずれかを示す運用形態信号と、各ＨＷＹカードでの障害を示す監視信号が入力され、ＳＷ機能部はこれらの信号に基づいて切り替え動作を行う。
（１．２）ＳＷ機能部は、運用形態が負荷分散構成のときに第１及び第２のＨＷＹカードの一方に障害が生じたときには、障害が生じたＨＷＹカードの第１のＭＡＣ機能部に接続されているＰＨＹ機能部を正常なＨＷＹカードの第２のＭＡＣ機能部に切り替え接続する。
（１．３）ＳＷ機能部は、運用形態が現用予備構成のときに、一方のＰＨＹ機能部をマスクし、かつ第１及び第２のＨＷＹカードの一方に障害が生じたときには、マスクされないＰＨＹ機能部を正常な第１のＨＷＹカードの第１のＭＡＣ機能部に、又は正常な第２のＨＷＹカードの第２のＭＡＣ機能部に切り替え接続する。
【００１０】
また、第２の発明においては次の形態とすることが好ましい。
（２．１）第１及び第２のＨＷＹカードと第２のＳＷ機能部には、それぞれ当該伝送路終端装置の負荷分散構成と現用予備構成のいずれかを示す運用形態信号が入力され、第２のＨＷＹカードと第１のＳＷ機能部には第１のＨＷＹカードでの障害を示す監視信号が入力され、第１のＨＷＹカードと第２のＳＷ機能部には第２のＨＷＹカードでの障害を示す監視信号が入力され、第１及び第２のＳＷ機能部はこれらの信号に基づいて切り替え動作を行う。
（２．２）第１及び第２のＳＷ機能部は、運用形態が負荷分散構成のときに第１及び第２のＨＷＹカードの一方に障害が生じたときには、障害が生じたＨＷＹカードの第１のＭＡＣ機能部に接続されているＰＨＹ機能部を正常なＨＷＹカードの第２のＭＡＣ機能部に切り替え接続する。
（２．３）第２のＳＷ機能部は運用形態が現用予備構成のときには第２のＰＨＹ機能部をマスクし、第１のＳＷ機能部は第１及び第２のＨＷＹカードの一方に障害が生じたときには、第１のＰＨＹ機能部を正常な第１のＨＷＹカードの第１のＭＡＣ機能部に、又は正常な第２のＨＷＹカードの第２のＭＡＣ機能部に切り替え接続する。
【実施例１】
【００１１】
次に、本発明の第１の発明に対応する実施例１を説明する。無線基地局装置に適用される実施例１の伝送路終端装置は、２つの対をなすＨＷＹ（伝送路終端回路）カード１及びＨＷＹカード１１と、これらに接続されている１つのＰＨＹ（物理層終端回路）カード２０から構成される。ＨＷＹカード１は、ホスト部２と、第１のＭＡＣ機能部３（以下、ＭＡＣ機能部３）及び第２のＭＡＣ機能部４（以下、ＭＡＣ機能部４）をもち、各ＭＡＣ機能部３，４はホスト部２に接続される。ホスト部２はＭＡＣ機能部３，４を介して上位装置とのデータ中継をおこない、無線基地局装置にアサインされたユーザに対してサービスを運用している。このようにＨＷＹカード１は２つのＭＡＣ機能部３，４をもっているが、伝送路に接続するためのグローバルＭＡＣアドレスは１つしかもっておらず、ここではＭＡＣ機能部３に対して自身のもつグローバルＭＡＣアドレスとしてＭＡＣアドレスＡを設定している。同様に、ＨＷＹカード１１は、ホスト部１２と第１のＭＡＣ機能部１３（以下、ＭＡＣ機能部１３）及び、第２のＭＡＣ機能部１４（以下、ＭＡＣ機能部１４）をもち、各ＭＡＣ機能部１３，１４はホスト部１２に接続される。このようにＨＷＹカード１１は２つのＭＡＣ機能部１３，１４をもっているが、伝送路に接続するためのグローバルＭＡＣアドレスは１つしかもっておらず、ここでは第１のＭＡＣ機能部１３に対して自身のもつグローバルＭＡＣアドレスとしてＭＡＣアドレスＢをもつ。自カードのグローバルＭＡＣアドレスとしてＭＡＣアドレスＢを設定している。
【００１２】
ＨＷＹカード１のホスト部２と、ＨＷＹカード１１のホスト部１２は装置内バス１０でつながっており、互いのＭＡＣアドレス情報の交換が可能である。そして、ＨＷＹカード１は自身のＭＡＣ機能部４に対しては装置内バス１０を介して受信したＨＷＹカード１１のもつＭＡＣアドレスＢを設定する。一方、ＨＷＹカード１１は自身のＭＡＣ機能部１４に対しては装置内バス１０を介して受信したＨＷＹカード１のもつＭＡＣアドレスＡを設定する。これにより、ＨＷＹカード１，１１は互いに対となるＨＷＹカードのＭＡＣアドレスを知ることで、自身のカード内部に２つの伝送路からのデータを中継することが可能となる。
【００１３】
また、各ＨＷＹカード１，１１には自カードにおける異常を検出して正常・異常を出力する監視信号３１と監視信号３２（以下、ＡＬＭ３１，ＡＬＭ３２）が出力可能であるとともに、各カードのホスト部２，１２は互いのＡＬＭ３１，ＡＬＭ３２が相互に入力され、これで相手の状態を監視することができる。ここでは、正常なときにはＡＬＭ３１，３２は「Ｌ」であり、異常のときには「Ｈ」となる。また、装置が負荷分散構成であるか現用予備構成であるかの運用形態を表す運用形態信号３０（以下、ＭＯＤＥ３０）が各ＨＷＹカード１，１１のホスト部２，１２に入力されるようになっており、各ＨＷＹカード１，１１はこのＭＯＤＥ３０によって現在の運用形態を認識することができる。ここでは、ＭＯＤＥ３０が「Ｌ」のときには現用予備構成の運用形態であり、「Ｈ」のときには負荷分散構成の運用形態である。
【００１４】
前記ＰＨＹカード２０はＰＨＹ機能部を無線基地局装置に接続される回線数分、ここでは第１のＰＨＹ機能部６（以下、ＰＨＹ機能部６）と第２のＰＨＹ機能部７（以下、ＰＨＹ機能部７）をもち、ＰＨＹ機能部６にて回線＃０の物理レイヤ（Ｌ１）終端を行い、ＰＨＹ機能部７にて回線＃１の物理レイヤ（Ｌ１）終端を行う。回線＃０のデータはＰＨＹカード２０のＰＨＹ機能部６にて中継され、回線＃１のデータはＰＨＹ機能部７にて中継される。また、ＰＨＹカード２０はＨＷＹカード１，１１とのインタフェース部分にＳＷ機能部５を備えており、このＳＷ機能部５はＨＷＹカード１，１１のもつ全てのＭＡＣ機能部３，４，１３，１４に接続する。特に、ここではＳＷ機能部５は、ＰＨＹ機能部６をＨＷＹカード１のＭＡＣ機能部３とＨＷＹカード１１のＭＡＣ機能部１４とに切り替え可能であり、同様にＰＨＹ機能部７をＨＷＹカード１のＭＡＣ機能部４とＨＷＹカード１１のＭＡＣ機能部１３とに切り替え可能とされている。このＳＷ機能部５には、前記ＭＯＤＥ３０とＡＬＭ３１，ＡＬＭ３２が制御信号として入力されており、これらの信号に基づいて前述のようにＭＡＣ機能部３，４，１３，１４とＰＨＹ機能部６，７間のデジタルインタフェース（ＭＩＩ、ＧＭＩＩ、ＳＥＲＤＥＳなど）の経路切り替えを行う。
【００１５】
以上の実施例１の伝送路終端回路の動作を図２〜図５を参照して説明する。図２は、ＨＷＹカード１，１１の起動フローを示す。ＨＷＹカード１，１１は、起動時にまず運用形態を示すＭＯＤＥ３０の状態を確認する（Ｓ１）。ＭＯＤＥ３０の信号レベルが「Ｌ」であれば現用予備構成、「Ｈ」であれば負荷分散構成となる。次に、ＨＷＹカード１，１１のホスト部２，１２は、他系ＨＷＹカード１１，１の実装状態確認をおこなう（Ｓ２）。他系ＨＷＹカード１１，１が実装されているのであれば、ＨＷＹカード１，１１のホスト部２，１２は他系ＨＷＹカード１１，１にＭＡＣアドレス情報の送信要求を行い、情報取得する（Ｓ３）。ＭＡＣアドレスの情報取得後、ＨＷＹカード１，１１は他ＨＷＹカード１１，１側のＭＡＣ機能部１４，４の設定を行い、データ受信準備を整える（Ｓ４）。その後、ＨＷＹカード１，１１は自カード側のＭＡＣ機能部３，１３の設定をして（Ｓ５）、運用開始設定を行う（Ｓ６）。Ｓ２において、他系ＨＷＹカードが実装されていないのであれば、他系ＨＷＹカード側のデータを受信する必要もないので、他系ＨＷＹカードのＭＡＣアドレス取得も他系ＨＷＹカード側ＭＡＣ設定も行わない。
【００１６】
図３はＰＨＹカード２０のＳＷ機能部５の動作を示す。ＭＯＤＥ３０の状態と、ＡＬＭ３１，ＡＬＭ３２の状態が異なるとＨＷＹカード１，１１がとりうる状態が相違するが、ＰＨＹカード２０がもつＳＷ機能部５の経路切り替えは、運用形態によって回線＃１側との接続をマスクするかしないかの点を除いて動作に差がない。つまり、ＰＨＹカード２０のＳＷ機能部５の経路切り替えは、ＡＬＭ３１とＡＬＭ３２の論理のみで確定される。ＡＬＭ３１が「Ｌ」の場合、ＨＷＹカード１が正常運用なので回線＃０はＨＷＹカード１のＭＡＣ機能部３に接続され、ＡＬＭ３１が「Ｈ」の場合、ＨＷＹカード１が異常なので回線＃０はＨＷＹカード１１のＭＡＣ機能部１４に接続される。同様に、ＡＬＭ３２が「Ｌ」の場合、ＨＷＹカード１１が正常運用なので回線＃１はＨＷＹカード１１のＭＡＣ機能部１３に接続され、ＡＬＭ３２が「Ｈ」の場合、ＨＷＹカード１１が異常なので回線＃１はＨＷＹカード１のＭＡＣ機能部４に接続される。なお、運用形態が現用予備構成の場合は、回線＃０のみでＨＷＹカード１枚運用となるため、回線＃１との接続はマスクされ、ＡＬＭ３１とＡＬＭ３２がどちらも「Ｌ」になる状態は起こらない。
【００１７】
図４を参照して実施例１の伝送路終端装置の負荷分散構成時の動作について説明する。伝送路終端装置の負荷分散構成は２本の回線サービスを２つの終端回路でそれぞれ運用する構成であり、２つの伝送路終端回路でのサービスを行い、負荷分散をはかることで装置の安定動作を保障する。本実施例では、回線＃０によるサービスをＨＷＹカード１で行い、回線＃１によるサービスをＨＷＹカード１１で行う。ＨＷＹカード１は、起動時、図２の起動フローにしたがい、ＭＯＤＥ３０の論理「Ｈ」により負荷分散構成での運用を確認後、ＨＷＹカード１１からＭＡＣアドレスＢを取得し、ＭＡＣ機能部４にＭＡＣアドレスＢの設定を、ＭＡＣ機能部３に自カード用ＭＡＣアドレスＡの設定をそれぞれ行い運用を開始する。このとき、ＡＬＭ３１は「Ｌ」レベルである。一方、ＨＷＹカード１１は、ＨＷＹカード１と同様に図２の起動フローにしたがい、ＭＯＤＥ３０の論理「Ｈ」により負荷分散構成での運用を確認後、ＨＷＹカード１からＭＡＣアドレスＡを取得し、ＭＡＣ機能部１４にＭＡＣアドレスＡの設定を、ＭＡＣ機能部１３に自カード用ＭＡＣアドレスＢの設定を行い、運用を開始する。このとき、ＡＬＭ３２は「Ｌ」レベルである。
【００１８】
ＰＨＹカード２０のＳＷ機能部５は、ＨＷＹカード１のＡＬＭ３１が「Ｌ」レベルであるので回線＃０とＭＡＣ機能部３を接続し、ＨＷＹカード１１のＡＬＭ３２が「Ｌ」レベルであるので回線＃１とＭＡＣ機能部１３を接続する（それぞれ図４の実線）。サービス運用中、ＨＷＹカード１が異常になるとＡＬＭ３１は「Ｈ」レベルに遷移し、ＰＨＹカード２０のＳＷ機能部５は、図４の破線のように、回線＃０とＭＡＣ機能部１４の接続に切り替え、ＨＷＹカード１１に２つの回線が接続される。これにより、ＨＷＹカード１にて運用していたサービスをＨＷＹカード１１にて継続する。ＨＷＹカード１が復旧し、再び運用状態になるとＡＬＭ３１は「Ｌ」レベルに遷移するので、図４の実線のように、ＰＨＹカード２０のＳＷ機能部５は回線＃０とＭＡＣ機能部３を接続し、経路を切り戻すことで２つのＨＷＹカード１，１１による負荷分散構成を再開する。反対に、サービス運用中、ＨＷＹカード１１が異常になるとＡＬＭ３２は「Ｈ」レベルに遷移し、図４の破線のように、ＰＨＹカード２０のＳＷ機能部５は回線＃１とＭＡＣ機能部４を接続し、ＨＷＹカード１に２つの回線が接続される。これにより、ＨＷＹカード１１にて運用していたサービスをＨＷＹカード１にて継続する。ＨＷＹカード１１が復旧し、再び運用状態になるとＡＬＭ３２は「Ｌ」レベルに遷移するので、図４の実線のように、ＰＨＹカード２０のＳＷ機能部５は回線＃１とＭＡＣ機能部１３を接続し、経路を切り戻すことで２つのＨＷＹカードによる負荷分散構成を再開する。
【００１９】
図５を参照して実施例１の伝送路終端装置の現用予備構成時の動作について説明する。伝送路終端装置の現用予備構成は、１本の回線サービスを２つの終端回路で運用する構成であり、通常は現用となる終端回路でのサービスを行い、現用側に異常が発生した場合に予備の終端回路に切り替えて装置の安定動作を保障する。実施例１では、回線＃０によるサービスを現用ＨＷＹカード（状況により、ＨＷＹカード１かＨＷＹカード１１のいずれかだが、ここでは初期状態はＨＷＹカード１とする）でおこない、現用ＨＷＹカード１に異常が発生すると予備ＨＷＹカード１１がサービスを継続する。現用であるＨＷＹカード１は、起動時、図２の起動フローにしたがい、ＭＯＤＥ３０の論理「Ｌ」により現用予備構成での運用を確認後、ＨＷＹカード１１からＭＡＣアドレスＢを取得し、ＭＡＣ機能部４にＭＡＣアドレスＢの設定を、ＭＡＣ機能部３に自カード用ＭＡＣアドレスＡの設定をそれぞれ行い、現用カードとして運用を開始する。このとき、ＡＬＭ３１は「Ｌ」レベルである。一方、予備であるＨＷＹカード１１は、ＨＷＹカード１と同様に図２の起動フローにしたがい、ＭＯＤＥ３０の論理「Ｌ」により現用予備構成での運用を確認後、ＨＷＹカード１からＭＡＣアドレスＡを取得し、ＭＡＣ機能部１４にＭＡＣアドレスＡを設定し、ＭＡＣ機能部１３に自カード用ＭＡＣアドレスＢを設定し、予備カードとして運用を開始する。このとき、ＡＬＭ３２信号は「Ｈ」レベルである。現用予備構成の場合、ＨＷＹカード２枚のうちいずれか１枚によるサービス運用であるため、ＡＬＭ３１が「Ｌ」レベルのときに、ＡＬＭ３２が「Ｌ」レベルになることはない。
【００２０】
ＰＨＹカード２０のＳＷ機能部５は、ＭＯＤＥ３０が「Ｌ」レベルであるので回線＃１とのデータ接続をマスクし、ＡＬＭ３２の論理により回線＃１側の経路切り替えが発生しても、装置運用としては無効となる。ＳＷ機能部５は、ＨＷＹカード１のＡＬＭ３１が「Ｌ」レベルであるので、図５の実線のように、回線＃０とＭＡＣ機能部３を接続し、ＨＷＹカード１１のＡＬＭ３２が「Ｈ」レベルであるので、図５の破線のように、回線＃１とＭＡＣ機能部４を接続する。ただし、前述の通り、現用予備構成は回線＃１によるサービス運用はないので、回線＃１側の経路切り替えが発生しても、装置運用としては無効となる。これは、ＰＨＹカード２０のＳＷ機能部５の経路切り替え動作は、運用形態に左右されない単純な動作とするための工夫である。つまり、経路切り替え動作に限っては現用予備構成と負荷分散構成は同じになる。
【００２１】
ＨＷＹカード１によるサービス運用中、ＨＷＹカード１が異常になるとＡＬＭ３１は「Ｈ」レベルに遷移し、ＨＷＹカード１１が予備から現用に切り替わり、ＡＬＭ３２が「Ｌ」レベルに遷移する。各ＡＬＭ３１，３２のレベルが変化することで、ＰＨＹカード２０のＳＷ機能部５は、図５の破線のように、回線＃０とＭＡＣ機能部１４を接続し、図５の実線のように、回線＃１とＭＡＣ１３を接続する。ただし、回線＃１の切り替えは起こっても、現用予備構成のため、回線＃１がマスクされているので装置としては無効化されている。これにより、ＨＷＹカード１１によるサービス運用を継続する。なお、ＨＷＹカード１１によるサービス運用中にＨＷＹカード１１が異常となった場合、ＰＨＹカード２０のＳＷ機能部５は経路切り替えをおこない、回線＃０をＭＡＣ機能部３に接続して、ＨＷＹカード１が現用となってサービス運用を継続する。
【００２２】
このように、実施例１の伝送路終端装置は、運用状態を示すＭＯＤＥ３０に基づいてＨＷＹカード１，１１で負荷分散構成と現用予備構成を確認し、ＭＡＣ機能部に対しＭＡＣアドレスの設定を行い、また、正常異常を示すＡＬＭ３１，３２に基づいてＳＷ機能部５がＰＨＹ機能部６，７、すなわち回線＃０，＃１とＭＡＣ機能部３，４，１３，１４を相互に切りえることにより、負荷分散構成と現用予備構成を切り替えることができ、かつ現用予備構成では現用ＨＷＹカードと予備ＨＷＹカードの切り替えが実現できる。これにより、障害発生時においても負荷分散構成と現用予備構成の実現が可能な伝送路終端装置が得られることになる。
【実施例２】
【００２３】
図６は本発明の第２の発明に対応する実施例２の伝送路終端装置の構成を示す。なお、実施例１と等価な部分には同一符号を付してある。実施例２の伝送路終端装置は、２つの対をなす第１のＨＷＹカード１及び第２のＨＷＹカード１１と、２つの対をなす第１のＰＨＹカード２１（以下、ＰＨＹカード２１）と第２のＰＨＹカード２２（以下、ＰＨＹカード２２）から構成される。第１のＨＷＹカード１と第２のＨＷＹカード１１の構成は実施例１と同じであるので詳細な説明は省略する。
【００２４】
ＰＨＹカード２１は１回線分の第１のＰＨＹ機能部６（以下、ＰＨＹ機能部６）をもち、ＰＨＹ機能部６にて回線＃０の物理レイヤ（Ｌ１）終端を行う。また、ＰＨＹカード２１はＨＷＹカード１がもつＭＡＣ機能部３とＨＷＹカード１１がもつＭＡＣ機能部１４とのインタフェース部分に第１のＳＷ機能部５（以下、ＳＷ機能部５）をもち、ＨＷＹカード１のＡＬＭ３１が入力される。一方、ＰＨＹカード２２は１回線分の第２のＰＨＹ機能部７（以下、ＰＨＹ機能部７）をもち、ＰＨＹ機能部７にて回線＃１の物理レイヤ（Ｌ１）終端を行う。また、ＰＨＹカード２２はＨＷＹカード１がもつＭＡＣ機能部４とＨＷＹカード１１がもつＭＡＣ機能部１３とのインタフェース部分に第２のＳＷ機能部１５（以下、ＳＷ機能部１５）をもち、ＨＷＹカード１１のＡＬＭ３２と運用形態を示すＭＯＤＥ３０が入力される。
【００２５】
実施例２の伝送路終端回路の動作について説明する。ＨＷＹカード１，１１の起動フローは図２を参照して説明した実施例１のＨＷＹカード１，１１の動作と同じであるので説明は省略する。
【００２６】
図７はＰＨＹカード２１のＳＷ機能部５の動作を示す。ＰＨＹカード２１のＳＷ機能部５の経路切り替え動作は、運用形態によって左右されずに、ＨＷＹカード１のＡＬＭ３１の論理によって決まる。ＡＬＭ３１が「Ｌ」の場合、ＨＷＹカード１が正常運用なので回線＃０はＨＷＹカード１のＭＡＣ機能部３に接続され、ＡＬＭ３１が「Ｈ」の場合、ＨＷＹカード１が異常なので回線＃０はＨＷＹカード１１のＭＡＣ機能部１４に接続される。
【００２７】
図８はＰＨＹカード２２のＳＷ機能部１５の動作を示す。ＰＨＹカード２２のＳＷ機能部１５の経路切り替え動作は、ＨＷＹカード１のＳＷ機能部５と同様に運用形態によって左右されずに、ＨＷＹカード１１のＡＬＭ３２の論理によって決まる。しかし、運用形態が現用予備構成の場合に回線＃１をマスクするかしないかという機能を備える点でＳＷ機能部５と相違する。ＡＬＭ３２が「Ｌ」の場合、ＨＷＹカード１１が正常運用なので回線＃１はＨＷＹカード１１のＭＡＣ機能部１３に接続され、ＡＬＭ３２が「Ｈ」の場合、ＨＷＹカード１１が異常なので回線＃１はＨＷＹカード１のＭＡＣ機能部４に接続される。ただし、前述の通りＭＯＤＥ３０が「Ｌ」レベルで運用形態が現用予備構成の場合は、回線＃１は運用に使用しないのでマスクされる。
【００２８】
図９を参照して実施例２の伝送路終端装置の負荷分散構成時の動作について説明する。実施例１と同様に、伝送路終端装置の負荷分散構成は、２本の回線サービスを２つの終端回路でそれぞれ運用する構成であり、２つの伝送路終端回路でのサービスをおこない、負荷分散をはかることで装置の安定動作を保障する。実施例２でも、回線＃０によるサービスをＨＷＹカード１で行い、回線＃１によるサービスをＨＷＹカード１１で行う。
【００２９】
ＨＷＹカード１は、起動時、図２の起動フローにしたがい、ＭＯＤＥ３０の論理「Ｈ」により負荷分散構成での運用を確認後、ＨＷＹカード１１からＭＡＣアドレスＢを取得し、ＭＡＣ機能部４にＭＡＣアドレスＢの設定を、ＭＡＣ機能部３に自カード用ＭＡＣアドレスＡの設定をそれぞれ行い、運用を開始する。このとき、ＡＬＭ３１は「Ｌ」レベルである。一方、ＨＷＹカード１１は、ＨＷＹカード１と同様に図２の起動フローにしたがい、ＭＯＤＥ３０の論理「Ｈ」により負荷分散構成での運用を確認後、ＨＷＹカード１からＭＡＣアドレスＡを取得し、ＭＡＣ機能部１４にＭＡＣアドレスＡを設定し、ＭＡＣ機能部１３に自カード用ＭＡＣアドレスＢを設定し、運用を開始する。このとき、ＡＬＭ３２は「Ｌ」レベルである。
【００３０】
ＰＨＹカード２１のＳＷ機能部５は、ＨＷＹカード１のＡＬＭ３１が「Ｌ」レベルであるので、図９実線のように、回線＃０とＭＡＣ機能部３を接続する。ＰＨＹカード２２のＳＷ機能部１５は、ＨＷＹカード１１のＡＬＭ３２が「Ｌ」レベルであるので、図９の実線のように、回線＃１とＭＡＣ機能部１３を接続する。サービス運用中、ＨＷＹカード１が異常になるとＡＬＭ３１は「Ｈ」レベルに遷移し、図９の破線のように、ＰＨＹカード２１のＳＷ機能部５は回線＃０とＭＡＣ機能部１４を接続し、ＨＷＹカード１１に２つの回線が接続される。これにより、ＨＷＹカード１にて運用していたサービスをＨＷＹカード１１にて継続する。ＨＷＹカード１が復旧し、運用状態に再びなるとＡＬＭ３１は「Ｌ」レベルに遷移するので、図９の実線のように、ＰＨＹカード２１のＳＷ機能部５は回線＃０とＭＡＣ機能部３を接続し、経路を切り戻すことで２つのＨＷＹカード１，１１による負荷分散構成を再開する。同様に、サービス運用中、ＨＷＹカード１１が異常になるとＡＬＭ３２は「Ｈ」レベルに遷移し、図９の破線のように、ＰＨＹカード２２のＳＷ機能部１５は回線＃１とＭＡＣ機能部４を接続し、ＨＷＹカード１に２つの回線が接続される。これにより、ＨＷＹカード１１にて運用していたサービスをＨＷＹカード１にて継続する。ＨＷＹカード１１が復旧し、運用状態に再びなるとＡＬＭ３２は「Ｌ」レベルに遷移するので、図９の実線のように、ＰＨＹカード２２のＳＷ機能部１５は回線＃１とＭＡＣ機能部１３を接続し、経路を切り戻すことで２つのＨＷＹカードによる負荷分散構成を再開する。
【００３１】
図１０を参照して実施例２の伝送路終端装置の現用予備構成時の動作について説明する。実施例１同様に、伝送路終端装置の現用予備構成は、１本の回線サービスを２つの終端回路で運用する構成であり、通常は現用となる終端回路でのサービスをおこない、現用側に異常が発生した場合に予備の終端回路に切り替え、装置の安定動作を保障する。実施例２では、回線＃０によるサービスを現用ＨＷＹカード（状況により、ＨＷＹカード１かＨＷＹカード１１のいずれかだが、ここでは初期状態はＨＷＹカード１）で行い、現用ＨＷＹカードに異常が発生すると、予備ＨＷＹカード１１がサービスを継続する。
【００３２】
ＨＷＹカード１は、起動時、図２の起動フローにしたがい、ＭＯＤＥ３０の論理「Ｌ」により現用予備構成での運用を確認後、ＨＷＹカード１１からＭＡＣアドレスＢを取得し、ＭＡＣ機能部４にＭＡＣアドレスＢの設定、ＭＡＣ機能部３に自カード用ＭＡＣアドレスＡの設定を行い、現用カードとして運用を開始する。このとき、ＡＬＭ３１は「Ｌ」レベルである。一方、ＨＷＹカード１１は、ＨＷＹカード１と同様に図２の起動フローにしたがい、ＭＯＤＥ３０の論理「Ｌ」により現用予備構成での運用を確認後、ＨＷＹカード１からＭＡＣアドレスＡを取得し、ＭＡＣ機能部１４にＭＡＣアドレスＡを設定し、ＭＡＣ機能部１３に自カード用ＭＡＣアドレスＢを設定し、予備カードとして運用を開始する。このとき、ＡＬＭ３２は「Ｈ」レベルである。現用予備構成の場合、ＨＷＹカード２枚のうちいずれか１枚によるサービス運用であるため、ＡＬＭ３１が「Ｌ」レベルのときに、ＡＬＭ３２が「Ｌ」レベルになることはない。
【００３３】
ＰＨＹカード２２のＳＷ機能部１５は、ＭＯＤＥ３０が「Ｌ」レベルであるので回線＃１とのデータ接続をマスクし、ＡＬＭ３２の論理により回線＃１側の経路切り替えが発生しても装置運用としては無効となる。ＰＨＹカード２１のＳＷ機能部５は、ＨＷＹカード１のＡＬＭ３１が「Ｌ」レベルであるので、図１０の実線のように、回線＃０とＭＡＣ機能部３を接続する。ＰＨＹカード２２のＳＷ機能部１５は、ＨＷＹカード１１のＡＬＭ３２が「Ｈ」レベルであるので、図１０の破線のように、回線＃１とＭＡＣ機能部４を接続する。ただし、前述の通り、現用予備構成は回線＃１によるサービス運用はないので、回線＃１側の経路切り替えが発生しても装置運用としては無効となる。これは、ＰＨＹカード２１のＳＷ機能部５の経路切り替え動作とＰＨＹカード２２のＳＷ機能部１５の経路切り替え動作を共通にするための工夫である。つまり、経路切り替え動作に限っては現用予備構成と負荷分散構成は同じになる。
【００３４】
ＨＷＹカード１によるサービス運用中、ＨＷＹカード１が異常になるとＡＬＭ３１は「Ｈ」レベルに遷移し、ＨＷＹカード１１が予備から現用に切り替わり、ＡＬＭ３２が「Ｌ」レベルに遷移する。各ＡＬＭ３１，３２のレベルが変化することで、図１０の破線のように、ＰＨＹカード２１のＳＷ機能部５は回線＃０とＭＡＣ機能部１４を接続する。これにより、ＨＷＹカード１１によるサービス運用を継続する。なお、ＨＷＹカード１１によるサービス運用中にＨＷＹカード１１が異常となった場合、ＰＨＹカード２１のＳＷ機能部５は経路切り替えを行い、図１０の実線のように、回線＃０をＭＡＣ機能部３に接続して、ＨＷＹカード１が現用となってサービス運用を継続する。
【００３５】
このように、実施例２の伝送路終端装置においても、運用状態を示すＭＯＤＥ３０に基づいてＨＷＹカード１，１１で負荷分散構成と現用予備構成を確認し、ＭＡＣ機能部に対しＭＡＣアドレスの設定を行い、また、正常・異常を示す監視信号ＡＬＭ３１，３２に基づいてＳＷ機能部５がＰＨＹ機能６，７、すなわち回線＃０，＃１とＭＡＣ機能部３，４，１３，１４を相互に切りえることにより、負荷分散構成と現用予備構成を切り替えることができ、かつ現用予備構成では現用ＨＷＹカードと予備ＨＷＹカードの切り替えが実現できる。これにより、障害発生時においても負荷分散構成と現用予備構成が実現できる伝送路終端装置が得られることになる。
【図面の簡単な説明】
【００３６】
【図１】実施例１の構成を示すブロック図である。
【図２】実施例１におけるＨＷＹカードの起動フローである。
【図３】実施例１におけるＳＷ機能部の制御内容を示す表である。
【図４】実施例１における負荷分散構成時のブロック図である。
【図５】実施例１における現用予備構成時のブロック図である。
【図６】実施例２の構成を示すブロック図である。
【図７】実施例２における第１のＳＷ機能部の制御内容を示す表である。
【図８】実施例２における第２のＳＷ機能部の制御内容を示す表である。
【図９】実施例２における負荷分散構成時のブロック図である。
【図１０】実施例２における現用予備構成時のブロック図である。
【符号の説明】
【００３７】
１  第１のＨＷＹカード
１１  第２のＨＷＹカード
２，１２  ホスト部
３，１３  第１のＭＡＣ機能部
４，１４  第２のＭＡＣ機能部
５  ＳＷ機能部（第１のＳＷ機能部）
１５  第２のＳＷ機能部
６  第１のＰＨＹ機能部
７  第２のＰＨＹ機能部
１０  装置内バス
２０  ＰＨＹカード
２１  第１のＰＨＹカード
２２  第２のＰＨＹカード
ＭＯＤＥ３０  運用状態信号
ＡＬＭ３１，ＡＬＭ３２  監視信号
【図１】
2009232000.tif 000003
【図２】
2009232000.tif 000004
【図３】
2009232000.tif 000005
【図４】
2009232000.tif 000006
【図５】
2009232000.tif 000007
【図６】
2009232000.tif 000008
【図７】
2009232000.tif 000009
【図８】
2009232000.tif 000010
【図９】
2009232000.tif 000011
【図１０】
2009232000.tif 000012